(57)【要約】【課題】最新の医薬品情報を参照するときに電子メール確認などの特別な操作を行なわなくても常に最新の医薬品情報を参照できるようにする。【解決手段】情報登録手段は、医薬品に関する情報及びこの情報の有効期限に関する情報を登録する。参照制御手段は、医薬品に関する情報を参照検索する場合に、その医薬品に関する情報が有効期限内のものであるか否かを情報登録手段によって登録された有効期限に関する情報に基づいて判断し、有効である場合に限りその医薬品に関する情報の参照を許可し、有効期限を過ぎている場合は参照できないようにする。これによって、有効期限内の最新の医薬品情報のみを参照することができる。【選択図】図１
2006040113.tif 000002
【特許請求の範囲】
【請求項１】
医薬品に関する情報及びこの情報の有効期限に関する情報を登録する情報登録手段と、
前記有効期限に関する情報に基づいて前記情報登録手段によって登録された前記医薬品に関する情報の参照の可否を制御する参照制御手段と
を備えたことを特徴とする医薬品情報参照システム。
【請求項２】
請求項１に記載の医薬品情報参照システムにおいて、前記有効期限に関する情報に基づいて前記医薬品に関する情報の有効期限が過ぎていると判断される場合、前記参照制御手段は、前記医薬品に関する情報の参照ボタンを操作できないように非表示状態にすることを特徴とする医療品情報参照システム。
【請求項３】
請求項１に記載の医薬品情報参照システムにおいて、前記有効期限に関する情報に基づいて前記医薬品に関する情報の有効期限が過ぎていると判断される場合、前記有効期限内の前記医薬品に関する情報をネットワーク手段を介して取り込み更新する更新手段を備えたことを特徴とする医療品情報参照システム。
【発明の詳細な説明】
【技術分野】
【０００１】
本発明は、病院や診療所等で構築される病院情報システムや電子カルテシステムに導入され、最新の医薬品情報を参照しながら、医薬品の処方オーダをしたり、薬局での処方監査をできるようにした医薬品情報参照システムに関する。
【背景技術】
【０００２】
医薬品に関する情報は、メーカ等からの公的情報として発行されるが、改訂・変更等が頻繁に発生するので、最新の情報を適確に得るのに多大な労力を要している。このような労力を医療機関からできるだけ解放しようと医薬品情報を需要先の医療機関にインターネットを介して配信するように構成された医薬品情報参照システムの発明として、特許文献１に示すようなものがある。
【０００３】
【特許文献１】特開２００３−２２８６２５号公報
【発明の開示】
【発明が解決しようとする課題】
【０００４】
特許文献１に記載されたものは、医療機関に配信すべき医薬品情報をその医療機関の採用薬に限定したものであり、医療機関が必要とする採用薬の医薬品情報だけが配信され、膨大な医薬品情報の中から必要な情報を選別する手間と労力を省き、医療機関の作業負担を軽減するものである。
特許文献１に記載されたものは、医薬品情報を電子メールで自動配信し、電子メール確認によって最新の医薬品情報を入手するようになっている。
そのために、常に最新の医薬品情報かどうかの不安があり、誤って古い医薬品情報を利用してしまうおそれがある。また、医師による医薬品の処方箋作成処理と連動していないために、操作の面でわずらわしいという問題があった。
【０００５】
この発明は、上述の点に鑑みなされたものであり、最新の医薬品情報を参照するときに電子メール確認などの特別な操作を行なわなくても常に最新の医薬品情報を参照することができる医薬品情報参照システムを提供することを目的とする。
【課題を解決するための手段】
【０００６】
本発明に係る医薬品情報参照システムの第１の特徴は、医薬品に関する情報及びこの情報の有効期限に関する情報を登録する情報登録手段と、前記有効期限に関する情報に基づいて前記情報登録手段によって登録された前記医薬品に関する情報の参照の可否を制御する参照制御手段とを備えたことにある。
情報登録手段は、医薬品に関する情報の有効期限に関する情報などを医薬品に関する情報と共に登録する。医薬品に関する情報を参照検索する場合に、参照制御手段は、その医薬品に関する情報が有効期限内のものであるか否かを情報登録手段によって登録された有効期限に関する情報に基づいて判断し、有効である場合に限りその医薬品に関する情報の参照を許可し、有効期限を過ぎている場合は参照できないようにする。これによって、有効期限内の最新の医薬品情報のみを参照することができる。
【０００７】
本発明に係る医薬品情報参照システムの第２の特徴は、前記第１の特徴に記載の医薬品情報参照システムにおいて、前記有効期限に関する情報に基づいて前記医薬品に関する情報の有効期限が過ぎていると判断される場合、前記参照制御手段が、前記医薬品に関する情報の参照ボタンを操作できないように非表示状態にすることにある。
これは、参照制御手段が有効期限を過ぎている医薬品情報を参照できないようにするために、参照ボタンを非表示にするようにしたものである。
【０００８】
本発明に係る医薬品情報参照システムの第３の特徴は、前記第１の特徴に記載の医薬品情報参照システムにおいて、前記有効期限に関する情報に基づいて前記医薬品に関する情報の有効期限が過ぎていると判断される場合、前記有効期限内の前記医薬品に関する情報をネットワーク手段を介して取り込んで更新する更新手段を備えたことにある。
これは、有効期限を過ぎた医薬品情報であってもネットワーク手段を介して最新のものを取り込んで参照表示できるようにしたものである。
【発明の効果】
【０００９】
この発明によれば、最新の医薬品情報を参照するときに電子メール確認などの特別な操作を行なわなくても常に最新の医薬品情報を参照することができるという効果がある。
【発明を実施するための最良の形態】
【００１０】
以下、本発明の実施の形態を添付図面に基づいて詳細に説明する。図１は、本発明に係る医薬品情報参照システムの構成を示す図である。図２は、図１の医薬品情報参照システムの各構成要素の処理の流れを示すフローチャート図である。
【００１１】
医薬品情報参照システムは、情報提供者側と情報使用者側とに別れて構成される。情報提供者は、製薬企業が医薬品に添付する文書などの公的情報源を改訂がある毎に随時保管してデータベースとなる医薬品情報原本１０を作成する企業体などである。提供情報作成部１２は、情報提供依頼書１１に記載されている装置固有情報１８に基づいてその情報使用者が必要とする医薬品情報に関する改訂情報を医薬品情報原本１０の中から抽出し、医薬品情報及びその証明書１３を作成して、依頼のあった情報使用者に配布する。
【００１２】
情報提供依頼書１１は、情報使用者がその医薬品情報を使用する際の装置固有の情報１８を記入したものであり、情報提供依頼書作成部９によって作成された書面又は電子ファイルなどであり、情報使用者側から情報提供者側に提供されるものである。医薬品情報及び証明書１３は、電子記録媒体を介して電子ファイル形式で情報使用者に提供されるものであり、その医薬品情報の有効期限などが記録されている。
【００１３】
情報使用者は、健診センタ、診療所、急性型病院、療養型病院、介護施設などのように個人に関する医療情報を生成するようなものと、健康保険組合、電話健康相談会社、在宅医療機器会社、出張介護サービス会社などのように個人に関する医療情報を生成しないものを含む広い概念のものである。
【００１４】
情報登録部１４及び情報検証部１７は、登録しようとする医薬品情報が真正のものであるかを装置固有情報と証明書との照合により検証する。まず、情報登録部１４は、ステップＳ３１で医薬品情報及び証明書１３を情報入力し、ステップＳ３２でその入力情報である医薬品情報１５と証明書１６をそれぞれの記録部に分けて登録する。
【００１５】
情報検証部１７は、ステップＳ３３で装置固有情報１８と医薬品情報１５とを入力し、これらをハッシュ関数にかけて証明データを生成する。さらに、情報検証部１７は、ステップＳ３４でこの証明データと先に入力した証明書１６内に記録された証明データとを比較し、その比較結果を検証結果１９として格納する。
【００１６】
このようにして情報検証部１７は、登録しようとする医薬品情報１５が真正のものであるか否かを装置固有情報１８と証明書１６とを照合することによって検証し、その検証結果１９と証明書１６の中の有効期限１６１を併せて登録する。
【００１７】
情報参照部２０は、ステップＳ３６で図３及び図４に示すような情報参照画面を表示する。情報参照部２０は、ステップＳ３７で検証結果１９及び有効期限１６１を入力し、その有効期限抽出及び日付チェック部２１で登録されている医薬品情報１５が真正なものであるか否かを検証結果１９に基づいて確認し、医薬品情報１５内に格納されている有効期限を抽出し、この有効期限の日付とシステム内部時計２３の日付とをそれぞれ比較チェックし、有効期限内であれば、その医薬品情報１５が最新のものであると判断し、有効期限内でなければ、その医薬品情報１５は最新のものではないと判断する。
【００１８】
情報参照部２０の参照ボタン編集部２２は、医薬品情報１５が有効期限内のものであって、最新のものであると判断された場合には、図３に示すように、情報参照画面の「参照ボタン」を可視状態にし、有効期限内のものでなく、最新の情報ではないと判断された場合には、図４に示すように、情報参照画面の「参照ボタン」を不可視状態にする。
【００１９】
情報検索部２４は、情報参照部２０の画面内の「参照ボタン」がクリックされることにより実施される処理であり、医薬品情報１５内を検索し、その検索情報を編集表示する。以上のように、この実施の形態によれば、医薬品の処方時に古い情報を誤って参照しないようにすることができる。
【００２０】
図５は、インターネット等の広域ネットワークを介した医薬品情報の情報提供者側と情報使用者側との連携を図った医薬品情報参照システムの一例を示す図である。図６は、図５の医薬品情報参照システムの各構成要素の処理の流れを示すフローチャート図である。
【００２１】
情報提供者側にインターネット５０を介して情報提供依頼書を送信する情報提供依頼部５１と情報提供者から送信された証明書付の医薬品情報１３を登録する情報登録部１４を情報使用者側に設ける。情報提供者側には、情報提供依頼書１１内に記入された情報使用者の装置固有情報１８と医薬品情報原本１０とに基づいて証明書付の医薬品情報１３を作成する提供情報作成部１２を有する。
【００２２】
情報提供依頼部５１は、ステップＳ６１で情報提供依頼画面を表示し、ステップＳ６２で情報を使用する装置に固有な情報（装置固有情報）１８を抽出し、ステップＳ６３で情報提供依頼書を作成し、インターネット５０を介して情報依頼内容を情報提供者側に送信する。
【００２３】
情報提供者側の提供情報作成部１２は、情報提供の依頼をインターネット５０を介して受信し、情報依頼内容の受信に応じた参照画面ボタンをクリックすることによって処理を開始し、ステップＳ６４で受信した情報提供依頼書に従って装置固有情報１８を抽出する。次にステップＳ６５で情報提供者側で保持している医薬品情報原本１０を入力し、ステップＳ６６で装置固有情報１８と医薬品情報原本１０をハッシュ関数にかけて証明データを生成し、ステップＳ６７で医薬品情報及び証明書データ付きの証明書として依頼者側に返信する。
【００２４】
情報登録部１４及び情報検証部１７は、登録しようとする医薬品情報が真正のものであるかを装置固有情報と証明書との照合により検証する。
【００２５】
情報登録部１４は、ステップＳ６８で情報提供者側から送信された医薬品情報と証明書を受信すなわち情報入力し、ステップＳ６９でこれらの入力情報を装置内の記録部に医薬品情報１５及び証明書１６として登録する。
【００２６】
情報検証部１７は、ステップＳ６Ａで装置固有情報１８と医薬品情報１５とを入力し、これらをハッシュ関数にかけて証明データを生成する。そして、ステップＳ６Ｂでこの証明データと先に入力した証明書１６内に記憶された証明データとを比較照合し、ステップＳ６Ｃでその比較結果である検証結果（照合結果）１９及び有効期限１６１を格納登録する。
【００２７】
情報参照部２０は、図２の医薬品情報参照システムと同様に、図７に示すような情報参照画面を表示する。なお、情報参照部２０の処理は同じなので、図６では情報参照部の処理は省略してある。情報参照部２０は、検証結果１９及び有効期限１６１を入力し、その有効期限抽出及び日付チェック部２１で登録されている医薬品情報１５が真正なものであるか否かを検証結果１９に基づいて確認し、医薬品情報１５内に格納されている有効期限１６１を抽出し、この有効期限の日付とシステム内部時計２３の日付とをそれぞれ比較チェックし、有効期限内であれば、その医薬品情報は最新のものであると判断し、逆に有効期限内のものでなければ、その医薬品情報は最新のものではないと判断する。
【００２８】
情報参照部２０の参照ボタン編集部２２は、医薬品情報１５が最新のものであると判断した場合、図７に示すように、情報参照画面の「参照ボタン」を可視状態にし、有効期限内でない、すなわち最新情報ではないと判断した場合、図４に示すように、情報参照画面の「参照ボタン」を不可視状態にする。図７の情報参照画面の参照ボタンが操作されることによって、その医薬品情報の一例が図８のように表示されるようになる。
【００２９】
参照検索部２４は、情報参照部２０の画面内の「参照ボタン」がクリックされることにより実施される処理であり、医薬品情報１５内を検索し、その検索情報を編集表示する。このようにすれば、医薬品の処方時に医薬品情報の最新情報を図８に示すようにワンタッチで参照することができる。
【図面の簡単な説明】
【００３０】
【図１】本発明に係る医薬品情報参照システムの構成を示す図である。
【図２】図１の医薬品情報参照システムの各構成要素の処理の流れを示すフローチャート図である。
【図３】情報参照画面の一例として、参照ボタンの表示状態の場合を示す図である。
【図４】情報参照画面の一例として、参照ボタンの非表示状態の場合を示す図である。
【図５】インターネット等の広域ネットワークを介した医薬品情報の情報提供者側と情報使用者側との連携を図った医薬品情報参照システムの一例を示す図である。
【図６】図５の医薬品情報参照システムの各構成要素の処理の流れを示すフローチャート図である。
【図７】情報参照画面の一例として、参照ボタンの表示状態の場合を示す図である。
【図８】図７の情報参照画面の参照ボタンが操作され、その医薬品情報の一例を示す図である。
【符号の説明】
【００３１】
９…情報提供依頼書作成部
１０…医薬品情報原本
１１…情報提供依頼書
１２…提供情報作成部
１３…医薬品情報及びその証明書
１４…情報登録部
１５…医薬品情報
１６…証明書
１６１…有効期限
１７…情報検証部
１８…装置固有情報
１９…検証結果
２０…情報参照部
２１…有効期限抽出及び日付チェック部
２２…参照ボタン編集部
２３…システム内部時計
２４…情報検索部
５０…インターネット
５１…情報提供依頼部
【図１】
2006040113.tif 000003
【図２】
2006040113.tif 000004
【図３】
2006040113.tif 000005
【図４】
2006040113.tif 000006
【図５】
2006040113.tif 000007
【図６】
2006040113.tif 000008
【図７】
2006040113.tif 000009
【図８】
2006040113.tif 000010